(57)【要約】【課題】非常用電源ユニットの放電特性の低下の抑制を図る。【解決手段】非常用照明装置３は、非常用光源ユニット４と、少なくとも１つの蓄電池を有する非常用電源ユニット５と、蓄電池を充電し、かつ、蓄電池から放電される電力で非常用光源ユニット４を点灯する制御装置６とを有している。器具本体１０は、常用照明装置２の隣に非常用照明装置３を並べて収容している。非常用電源ユニット５は、所定方向から見て非常用光源ユニット４と重ならないように器具本体１０に収容されている。所定方向は、常用照明装置２と非常用照明装置３が並ぶ方向（左右方向）に直交する方向であり、かつ、常用照明装置２及び非常用照明装置３が器具本体１０の外に突出する方向（上下方向）である。【選択図】        図２
2018110058.tif 000002
【特許請求の範囲】
【請求項１】
常用照明を行う常用照明装置と、非常用照明を行う非常用照明装置と、前記常用照明装置及び前記非常用照明装置を収容する器具本体とを備え、
前記非常用照明装置は、非常用光源ユニットと、少なくとも１つの蓄電池を有する非常用電源ユニットと、前記蓄電池を充電し、かつ、前記蓄電池から放電される電力で前記非常用光源ユニットを点灯する制御装置とを有し、
前記器具本体は、前記常用照明装置の隣に前記非常用照明装置を並べて収容し、
前記非常用電源ユニットは、所定方向から見て前記非常用光源ユニットと重ならないように前記器具本体に収容されており、
前記所定方向は、前記常用照明装置と前記非常用照明装置が並ぶ方向に直交する方向であり、かつ、前記常用照明装置及び前記非常用照明装置が前記器具本体の外に突出する方向であることを特徴とする照明器具。
【請求項２】
前記器具本体は、長尺の箱形に形成され、
前記常用照明装置及び前記非常用照明装置は、前記器具本体の長手方向に沿って並ぶように前記器具本体に収容されていることを特徴とする請求項１記載の照明器具。
【請求項３】
前記非常用電源ユニットは、前記器具本体の長手方向において、前記非常用光源ユニットに対して前記常用照明装置に近い側に収容されていることを特徴とする請求項２記載の照明器具。
【請求項４】
前記制御装置は、前記所定方向から見て前記非常用光源ユニットと重なるように前記器具本体に収容されていることを特徴とする請求項１〜３のいずれか１項に記載の照明器具。
【請求項５】
前記非常用電源ユニットは、板状の第１導体と、板状の第２導体と、前記蓄電池と前記第１導体と前記第２導体を支持する支持体とを有し、
前記制御装置は、前記第１導体の端部に設けられている第１コンタクトと抜き差し可能に電気的かつ機械的に接続される第１コンタクト受けと、前記第２導体の端部に設けられている第２コンタクトと抜き差し可能に電気的かつ機械的に接続される第２コンタクト受けとを有しており、
前記非常用電源ユニットは、前記第１コンタクト受け及び前記第２コンタクト受けを通して前記制御装置に電力を供給することを特徴とする請求項１〜４のいずれか１項に記載の照明器具。
【発明の詳細な説明】
【技術分野】
【０００１】
本発明は、照明器具に関し、より詳細には、常用照明と非常時照明を行う照明器具に関する。
【背景技術】
【０００２】
従来例として、特許文献１記載の照明器具を例示する。この従来例は、器具本体と、常用照明用の常用光源ユニットと、非常時照明用の非常用照明装置とを備えている。器具本体は、下面が開口する長尺かつ矩形の箱形に形成されている。常用光源ユニットは、複数のＬＥＤモジュールと、各ＬＥＤモジュールが取り付けられる取付部材と、各ＬＥＤモジュールを覆うようにして取付部材に取り付けられるカバーと、各ＬＥＤモジュールを点灯する電源装置とを備えている。常用光源ユニットは、器具本体の下面からカバーを露出するようにして器具本体内に収容される。
【０００３】
非常用照明装置は、非常用光源ユニットと、制御装置とを備える。非常用光源ユニットは、ＬＥＤモジュール、レンズ、カバー、非常用電源（蓄電池）などを備える。ＬＥＤモジュールの前方にレンズが配置される。カバーは、レンズを前方に露出するようにしてＬＥＤモジュールの前方に配置される。非常用電源は、ＬＥＤモジュールの後方に配置されている。制御装置は、常用電源から供給される電力で非常用電源を充電する充電回路と、常用電源の停電時に非常用電源を電源としてＬＥＤモジュールを点灯させる非常用電源回路とを備える。また、制御装置は、点検スイッチによる操作入力を受け取って点検動作を行う制御回路を備える。常用電源は、例えば、常用光源ユニットの電源装置に給電する電源（商用の交流電源）である。
【先行技術文献】
【特許文献】
【０００４】
【特許文献１】特開２０１６−１３４２０８号公報
【発明の概要】
【発明が解決しようとする課題】
【０００５】
ところで、非常用電源としての蓄電池、例えば、ニッケル水素電池の放電特性は、常温付近で電池容量が最も大きく、高温のときの電池容量が減少する特性を示す。したがって、非常用電源は、可能な限り熱源から離れて配置されることが好ましい。
【０００６】
本発明の目的は、非常用電源ユニットの放電特性の低下の抑制を図ることが可能な照明器具を提供することである。
【課題を解決するための手段】
【０００７】
本発明の一態様に係る照明器具は、常用照明を行う常用照明装置と、非常用照明を行う非常用照明装置と、前記常用照明装置及び前記非常用照明装置を収容する器具本体とを備えている。前記非常用照明装置は、非常用光源ユニットと、少なくとも１つの蓄電池を有する非常用電源ユニットと、前記蓄電池を充電し、かつ、前記蓄電池から放電される電力で前記非常用光源ユニットを点灯する制御装置とを有している。前記器具本体は、前記常用照明装置の隣に前記非常用照明装置を並べて収容している。前記非常用電源ユニットは、所定方向から見て前記非常用光源ユニットと重ならないように前記器具本体に収容されている。前記所定方向は、前記常用照明装置と前記非常用照明装置が並ぶ方向に直交する方向であり、かつ、前記常用照明装置及び前記非常用照明装置が前記器具本体の外に突出する方向である。
【発明の効果】
【０００８】
本発明は、非常用電源ユニットの放電特性の低下の抑制を図ることが可能な照明器具を提供することができる。
【図面の簡単な説明】
【０００９】
【図１】図１は、本発明の一実施形態に係る照明器具の分解斜視図である。
【図２】図２Ａは、同上の照明器具の正面図である。図２Ｂは、同上の照明器具の平面図である。図２Ｃは、同上の照明器具の左側面図である。
【図３】図３は、同上の照明器具における非常用照明装置の斜視図である。
【図４】図４Ａ、同上の非常用照明装置の正面図である。図４Ｂは、同上の非常用照明装置の平面図である。図４Ｃは、同上の非常用照明装置の右側面図である。
【図５】図５Ａは、同上の非常用照明装置の背面図である。図５Ｂは、同上の非常用照明装置の下面図である。
【図６】図６は、同上の非常用照明装置の分解斜視図である。
【図７】図７は、同上の非常用照明装置の断面図である。
【図８】図８は、同上の非常用照明装置の分解斜視図である。
【図９】図９は、同上の照明器具における非常用光源ユニットと制御装置の分解斜視図である。
【図１０】図１０は、同上の照明器具における非常用電源ユニットの分解斜視図である。
【図１１】図１１は、同上の照明器具の一部省略した分解斜視図である。
【発明を実施するための形態】
【００１０】
本発明に係る照明器具の一実施形態について、図面を参照して詳細に説明する。本実施形態の照明器具１は、例えば、執務室などの天井に直付けされる天井直付け形の照明器具であるが、天井埋込形の照明器具や壁に取り付けられる照明器具であってもよい。なお、以下の実施形態で説明する構成は本発明の一例にすぎない。本発明は、以下の実施形態に限定されず、本発明の効果を奏することができれば、設計等に応じて種々の変更が可能である。
【００１１】
本実施形態の照明器具１は、図１及び図２Ａ〜図２Ｃに示すように、常用照明を行う常用照明装置２と、非常用照明を行う非常用照明装置３と、常用照明装置２及び非常用照明装置３を収容する器具本体１０とを備えている。なお、以下の説明では、特に断りのない限り、図１に示す向きにおいて、照明器具１の上下、左右及び前後の各方向を規定する。
【００１２】
器具本体１０は、金属材料によって長尺の箱形に形成されている。器具本体１０は、長尺の矩形平板状の天板１１と、天板１１の長手方向（左右方向）に沿った２つの端縁のそれぞれから下向きに突出する一対の第１側板１２とを有している。器具本体１０は、さらに、天板１１の短手方向（前後方向）に沿った２つの端縁のそれぞれから下向きに突出する一対の第２側板１３を有している。さらに、器具本体１０は、天板１１に対向する下面に開口部を有している。天板１１は、その左右方向におけるほぼ中央に、電線を通すための孔１１０を有している。また、天板１１は、その左右方向における両端寄りの位置に吊りボルトを通すための孔１１１を有している（図１参照）。さらに、天板１１の下面には、孔１１０から引き込まれる電線が結線される端子台１４が取り付けられている。
【００１３】
常用照明装置２は、常用光源と、常用光源が取り付けられる取付部材２１と、常用光源を覆う透光カバー２０と、常用光源を点灯する電源装置とを備えている。常用光源は、長尺の基板と、基板の表面に実装される多数のＬＥＤ（light emitting diode）とを有している。取付部材２１は、金属材料によって長尺の樋状に形成されている。取付部材２１は、長尺の矩形板状に形成された底板と、底板の短手方向（前後方向）における両端から上向きに立ち上がる一対の側板２１０とを有している。常用光源は、取付部材２１の底板の下面に取り付けられる。電源装置は、端子台１４を介して常用電源（例えば、商用の交流電源）から供給される交流電力を直流電力に変換するように構成されている。電源装置は、取付部材２１の底板の上面に取り付けられる。常用光源と電源装置は、底板に設けられた挿通孔に挿通される電線によって電気的に接続される。常用光源は、電線を介して電源装置から直流電力が供給されることによって点灯する。
【００１４】
透光カバー２０は、アクリル樹脂やポリカーボネート樹脂などの透光性を有する合成樹脂材料により上面が開口する長尺の箱形に形成されている。透光カバー２０の下面は、短手方向（前後方向）において両端から中央に向かってなだらかに下向きに突出する曲面形状に形成されている（図１参照）。なお、透光カバー２０を形成する合成樹脂材料には、拡散材が混入されている。すなわち、常用光源から放射される光は、透光カバー２０を透過する際に拡散される。
【００１５】
常用照明装置２は、透光カバー２０を除く部分（取付部材２１の一対の側板２１０及び電源装置など）を器具本体１０に収容し、透光カバー２０を器具本体１０の開口部から下向きに突出させるようにして器具本体１０に取り付けられる（図２Ａ〜図２Ｃ参照）。また、常用照明装置２は、器具本体１０の開口部の大部分を透光カバー２０で塞ぐようにして器具本体１０に着脱可能に取り付けられる（図２Ａ〜図２Ｃ参照）。ここで、器具本体１０は、常用照明装置２の取付部材２１と天板１１の間に空間（デッドスペース）を形成している。そして、常用照明装置２の電源装置が器具本体１０のデッドスペースに配置される。ただし、常用照明装置２を器具本体１０に着脱可能に取り付ける構造は、特許文献１に記載されている従来例と共通であるから、詳細な説明及び図示は省略する。
【００１６】
次に、非常用照明装置３について、図面を参照して詳細に説明する。
【００１７】
非常用照明装置３は、非常用光源ユニット４と、非常用電源ユニット５と、制御装置６と、カバー７と、押さえ具８とを備えている（図１〜図８参照）。
【００１８】
非常用光源ユニット４は、図７及び図８に示すように、ＬＥＤモジュール４０と、ホルダ４１と、一対の端子板４２と、放熱シート４３と、レンズ４４とを有している。ＬＥＤモジュール４０は、矩形平板状の実装基板４００の中央に少なくとも１個のＬＥＤチップが実装されて構成されている。ＬＥＤチップは、例えば、青色光を放射する青色発光ダイオードであることが好ましい。また、ＬＥＤチップを含む実装基板４００の実装面（下面）は、ＬＥＤチップから放射される青色光を波長変換する蛍光物質が混入された封止樹脂４０１で封止されている（図８参照）。さらに、実装基板４００は、その対角の位置にある一対の角部の下面にそれぞれ電極を有している。一方の電極は、ＬＥＤチップのカソードと電気的に接続され、他方の電極は、ＬＥＤチップのアノードと電気的に接続されている。さらに、これら２つの電極は、一対の端子板４２のうちの対応する端子板４２と電気的に接続されている。
【００１９】
レンズ４４は、例えば、ガラス製であって、レンズ本体４４０と、レンズ本体４４０の周縁から外向きに突出する環状の外鍔部４４１とを有している（図８参照）。レンズ４４は、非球面形状の入射面４４２及び出射面４４３を有し（図７参照）、いわゆるバットウイング（batwing）状の配光特性を実現する広角配光レンズであることが好ましい。ただし、レンズ４４は、ガラス繊維が混入されることで耐熱性（難燃性）が向上された合成樹脂材料（例えば、ポリカーボネート樹脂など）で形成されてもよい。
【００２０】
放熱シート４３は、高熱伝導率、電気絶縁性及び難燃性を有するシリコーン樹脂製のシート材で構成されることが好ましい。放熱シート４３は、ＬＥＤモジュール４０の実装基板４００の上面に接触している。
【００２１】
ホルダ４１は、ポリカーボネート樹脂などの合成樹脂材料により、上下方向から見て、おおよそ菱形に形成されることが好ましい（図８参照）。ホルダ４１は、ＬＥＤモジュール４０の発光面（下面）にレンズ４４のレンズ本体４４０を重ねるようにして、ＬＥＤモジュール４０とレンズ４４を保持している。また、ホルダ４１は、端子板保持部４１０を有している。端子板保持部４１０は、上向きに伸びた角筒状に形成され、一対の端子板４２を内部に収容して保持している（図７及び図８参照）。
【００２２】
非常用電源ユニット５は、図１０に示すように、乾電池型の複数（図示例では５本）の蓄電池５０と、これら複数の蓄電池５０を収容する合成樹脂材料製のケース５１と、第１導体５４と、第２導体５５とを備えている。ケース５１は、ケースボディ５２とケースカバー５３を有する。ケースボディ５２は、矩形の底壁５２０と、底壁５２０の前後両端縁から下向きに突出する一対の第１側壁５２１とを有している。また、ケースボディ５２は、底壁５２０の右側の端縁から下向きに突出する第２側壁５２２と、底壁５２０の左側の端縁から下向きに突出する第３側壁５２３とを有している。ただし、第３側壁５２３は、一対の第１側壁５２１及び第２側壁５２２よりも上下方向の高さを高くするように形成されている。
【００２３】
底壁５２０は、その下面から下向きに突出する５つの突台部５２６を有している。これら５つの突台部５２６は、底壁５２０の下面において左右方向に並んでいる。また、各突台部５２６の下面は、半円筒面形状に形成されている。各突台部５２６の下面に蓄電池５０が１本ずつ載せられて支持される（図７参照）。ただし、５つの突台部５２６のうちで左端の突台部５２６は、他の４つの突台部５２６よりも下方に位置している。
【００２４】
一対の第１側壁５２１はそれぞれ、一対の突片５２１０を有している。一対の突片５２１０は、矩形の板状に形成され、第１側壁５２１の下端から下に突出している。また、各突片５２１０は、その先端（下端）に、三角柱状の爪５２１１を有している。ただし、前方の第１側壁５２１が有する各突片５２１０の爪５２１１は前方へ突出し、後方の第１側壁５２１が有する各突片５２１０の爪５２１１は後方へ突出している。
【００２５】
第２側壁５２２の右側面における後端から、突部５２４が右向きに突出している。突部５２４は、おおよそ直方体状に形成されている。ただし、突部５２４の右下の辺は、凸曲面形状に形成されることが好ましい。
【００２６】
第３側壁５２３は、矩形の板状に形成されている。第３側壁５２３は、その左側面における前方の下部に、端子保持部５２７を有している。端子保持部５２７は、軸方向を上下方向に一致させた角筒状に形成されている。また、端子保持部５２７内の空間は、隔壁５２７０によって２つに区切られている（図１０参照）。また、端子保持部５２７は、その前面における上端部分に、矩形板状のガイド片５２７１を有している。ガイド片５２７１は、厚み方向を左右方向に一致させるようにして端子保持部５２７の前面から前方へ突出している。
【００２７】
ケースカバー５３は、矩形の第１底壁５３０と、第１底壁５３０の左側の端縁から左斜め下向きに突出する矩形の第１側壁５３１と、第１底壁５３０及び第１側壁５３１の前後両端縁から上向きに突出する一対の第２側壁５３２とを有している。また、ケースカバー５３は、第１底壁５３０の右側の端縁から上向きに突出する第３側壁５３３と、第１側壁５３１の左側の端縁から左向きに突出する第２底壁５３４とを有している。
【００２８】
一対の第２側壁５３２はそれぞれ、一対の貫通孔５３２０を有している。また、前方の第２側壁５３２は、階段状に形成されている。
【００２９】
第３側壁５３３は、突片５３３０を有している。突片５３３０は、第３側壁５３３の後端寄りの上端から上に突出している。また、突片５３３０は、その先端（上端）に、三角柱状の爪５３３１を有している。爪５３３１は、突片５３３０の上端における右側面から右方へ突出している。
【００３０】
第２底壁５３４は、矩形の板状に形成されている。第２底壁５３４は、その前方左端に蓋部５３５を有している。蓋部５３５は、左右方向から見た形状がＵ字状となるように形成されている。
【００３１】
５本の蓄電池５０は、各々の径方向に沿って互い違いに並ぶように配置される。右端の蓄電池５０の負極端子に、第１導体５４の一端部（右端部）が電気的に接続される。また、左端の蓄電池５０の正極端子に、第２導体５５の一端部（右端部）が電気的に接続される。右端の蓄電池５０の正極端子と、右から２番目の蓄電池５０の負極端子とが導体板５６によって電気的に接続される。右から２番目の蓄電池５０の正極端子と、右から３番目の蓄電池５０の負極端子とが導体板５６によって電気的に接続される。左端の蓄電池５０の負極端子と、左から２番目の蓄電池５０の正極端子とが導体板５６によって電気的に接続される。右から３番目の蓄電池５０の正極端子と、左から２番目の蓄電池５０の負極端子とが導体板５６によって電気的に接続される。つまり、５本の蓄電池５０は、４枚の導体板５６によって電気的に直列接続されている。
【００３２】
第１導体５４は、金属板によってＳ字状に形成されている（図１０参照）。第１導体５４の長手方向の一端部（右端部）が右端の蓄電池５０の負極端子と電気的に接続される。第１導体５４は、その長手方向の他端部（左端部）に第１コンタクト５７を有している。第１コンタクト５７は、角筒状の枠体５７０と、枠体５７０内に収容されるばね体とを有している。ばね体は、枠体５７０の上端に結合され、枠体５７０内において左右方向に撓み可能となるように枠体５７０と一体に形成されている。第１導体５４は、上側の第１側壁５２１及び第３側壁５２３に沿ってケースボディ５２内に収容される。また、第１コンタクト５７は、端子保持部５２７内の２つの空間のうちで隔壁５２７０の上側の空間に収容される。
【００３３】
第２導体５５は、金属板によってＳ字状に形成されている。第２導体５５は、その長手方向の一端部（右端部）が左端の蓄電池５０の正極端子と電気的に接続される。第２導体５５は、その長手方向の他端部（左端部）に第２コンタクト５８を有している。第２コンタクト５８は、角筒状の枠体と、枠体内に収容されるばね体とを有している。ばね体は、枠体の上端に結合され、枠体内において左右方向に撓み可能となるように枠体と一体に形成されている。第２導体５５は、下側の第１側壁５２１及び第３側壁５２３に沿ってケースボディ５２内に収容される。また、第２コンタクト５８は、端子保持部５２７内の２つの空間のうちで隔壁５２７０の下側の空間に収容される。
【００３４】
ケースボディ５２にケースカバー５３が結合されることによってケース５１が組み立てられる（図８参照）。ケースボディ５２が有する４つの突片５２１０がそれぞれ、ケースカバー５３が有する４つの貫通孔５３２０のうちの対応する貫通孔５３２０に挿入される。さらに、ケースカバー５３が有する突片５３３０が、ケースボディ５２の突部５２４に設けられている貫通孔５２４０に挿入される。そして、突片５２１０、５３３０の先端に設けられている爪５２１１、５３３１が、貫通孔５３２０、５２４０の縁にそれぞれ引っ掛かることでケースボディ５２とケースカバー５３が結合される。なお、ケースボディ５２の端子保持部５２７の下側の開口部は、ケースカバー５３の蓋部５３５が被さることで閉じられる（図８参照）。
【００３５】
制御装置６は、図９に示すように、第１回路ブロック６０、第２回路ブロック６１、筐体６２及び放熱板６３を備えている。第１回路ブロック６０は、矩形板状の第１プリント配線板６００、複数種類の電子部品６０１、受け側コネクタ６４、入力端子台６０３、出力コネクタ６０２及び第１コネクタ６０４を有している。複数種類の電子部品６０１のうちでリード付きの電子部品６０１が第１プリント配線板６００の下面（部品面）に挿入実装されている。また、複数種類の電子部品６０１のうちで表面実装型の電子部品６０１が第１プリント配線板６００の上面（はんだ面）に表面実装されている（図７参照）。ただし、第１プリント配線板６００の部品面には、受け側コネクタ６４、入力端子台６０３、出力コネクタ６０２及び第１コネクタ６０４も挿入実装されている。
【００３６】
出力コネクタ６０２は、一対のコンタクト６０２０を有している（図９参照）。出力コネクタ６０２の各コンタクト６０２０は、非常用光源ユニット４の一対の端子板４２のうちの対応する端子板４２と接触して導通する。
【００３７】
受け側コネクタ６４は、第１コンタクト受け６４１と、第２コンタクト受け６４２と、ベース６４０とを有している（図９参照）。ベース６４０は、電気絶縁性を有した合成樹脂材料によって矩形の板状に形成されている。第１コンタクト受け６４１及び第２コンタクト受け６４２は棒状に形成されて、ベース６４０を厚み方向に貫通した状態でベース６４０に支持されている。第１コンタクト受け６４１は、非常用電源ユニット５の第１コンタクト５７の枠体５７０内に挿入された状態において、枠体５７０内のばね体によって枠体５７０に押し付けられることで第１コンタクト５７と電気的に接続される。第２コンタクト受け６４２は、非常用電源ユニット５の第２コンタクト５８の枠体内に挿入された状態において、枠体内のばね体によって枠体に押し付けられることで第２コンタクト５８と電気的に接続される。
【００３８】
第１回路ブロック６０は、第１プリント配線板６００に形成されているプリント配線と、第１プリント配線板６００の部品面及びはんだ面に実装されている複数種類の電子部品６０１とで構成されたプリント回路を有している（図７及び図９参照）。第１回路ブロック６０のプリント回路は、例えば、直流電源回路、充電回路、点灯回路、停電検出回路、制御回路を含んでいる。直流電源回路は、例えば、リンギングチョークコンバータなどの自励型のスイッチング電源回路で構成され、常用電源から入力端子台６０３に入力される交流電圧を直流電圧に変換するように構成されている。充電回路は、常用電源から給電されているときに受け側コネクタ６４を通して一定の充電電流を出力するように構成されている。点灯回路は、非常用電源ユニット５から受け側コネクタ６４に入力される直流電流を定電流化し、定電流化した直流電流を出力コネクタ６０２より非常用光源ユニット４に供給するように構成されている。停電検出回路は、直流電源回路の出力電圧に基づいて常用電源の停電を検出して制御回路に通知するように構成されている。制御回路は、停電検出回路が常用電源の停電を検出していないときに充電回路を動作させ、かつ、点灯回路を停止させるように構成されている。また、制御回路は、停電検出回路が常用電源の停電を検出しているときに充電回路を停止させ、かつ、点灯回路を動作させるように構成されている。
【００３９】
第２回路ブロック６１は、矩形板状の第２プリント配線板６１０、２つの押釦スイッチ６１１、６１２、表示素子６１３、受光素子６１４並びに第２コネクタ６１５を有している（図９参照）。第２コネクタ６１５は、第２プリント配線板６１０の下面における長手方向の一端（前端）に実装されている。一方の押釦スイッチ６１１は、第２プリント配線板６１０の下面における第２コネクタ６１５の後方に実装されている。他方の押釦スイッチ６１２は、第２プリント配線板６１０の下面における長手方向の他端（後端）に実装されている。表示素子６１３は、例えば、緑色光を放射するＬＥＤチップを有している。表示素子６１３は、第２プリント配線板６１０の下面における押釦スイッチ６１２の前方に実装されている。受光素子６１４は、赤外線を通信媒体とする制御信号を受信し、受信した制御信号から送信フレームを復調するように構成されている。この制御信号は、定期点検の作業を行う作業者に操作されるリモートコントローラから送信される。受光素子６１４は、第２プリント配線板６１０の下面における表示素子６１３と押釦スイッチ６１１の間に実装されている。第２コネクタ６１５は、例えば、ケーブルによって第１回路ブロック６０の第１コネクタ６０４と電気的に接続される。第１回路ブロック６０の制御回路は、ケーブルを通して各押釦スイッチ６１１、６１２の操作状態（オン及びオフ）を監視するように構成されている。また、制御回路は、受光素子６１４で復調される制御信号の送信フレームをケーブルを通して受け取るように構成されている。さらに、制御回路は、第１回路ブロック６０の充電回路が動作している場合、ケーブルを通して表示素子６１３に電流を流すことで表示素子６１３を発光させるように構成されている。
【００４０】
なお、制御回路は、一方の押釦スイッチ６１１がオンされた場合、及び受光素子６１４から送信フレームを受け取った場合に定期点検動作を行うように構成されている。定期点検動作を行う制御回路は、充電回路を停止させ、かつ、点灯回路を動作させる。さらに、制御回路は、他方の押釦スイッチ６１２がオンされた場合、自己点検動作を行うように構成されている。自己点検動作を行う制御回路は、充電回路を停止するとともに点灯回路を数秒間動作させた後、再度、点灯回路を停止させ、かつ、充電回路を動作させる。ただし、制御回路は、自己点検動作を行うように指示する送信フレームを受光素子６１４から受け取った場合も自己点検動作を行うように構成されることが好ましい。
【００４１】
筐体６２は、第１筐体６２０と第２筐体６２１を有している。第１筐体６２０は、底部６２００と、側壁部６２０１とを有している。底部６２００は、おおよそ矩形の箱形に形成されている。底部６２００は、第１回路ブロック６０の第１プリント配線板６００のはんだ面を厚み方向（上下方向）から支持するように構成されている。側壁部６２０１は、板状に形成されている。側壁部６２０１は、ヒンジを介して底部６２００に連結されている。ゆえに、側壁部６２０１は、ヒンジを軸にして底部６２００に対して回転可能となるように構成されている。また、側壁部６２０１は、第２回路ブロック６１の第２プリント配線板６１０の長手方向に沿った端部（左端部）を厚み方向から挟んで支持するように構成されている。
【００４２】
第２筐体６２１は、上面及び左側面が開放された箱状に形成されている。第２筐体６２１は、第１筐体６２０と結合される。第２筐体６２１の上面は、第１筐体６２０の底部６２００によって閉じられる。また、第２筐体６２１の左側面は、第１筐体６２０の側壁部６２０１によって閉じられる（図７参照）。
【００４３】
第２筐体６２１は、下面の左端から下方へ突出する突台部６２１０を有している（図９参照）。突台部６２１０は、おおよそ角錐台状に形成されている。突台部６２１０は、２つの操作部材（第１操作部材６２１４及び第２操作部材６２１５）を有している。第１操作部材６２１４は、突台部６２１０の下面における前端に設けられている。また、第２操作部材６２１５は、突台部６２１０の下面における後端に設けられている。第１操作部材６２１４及び第２操作部材６２１５は、突台部６２１０の下面に対して上下方向に移動可能となるように構成されている。つまり、上向きに押された第１操作部材６２１４が押釦スイッチ６１１の押釦を押すことにより、押釦スイッチ６１１がオンする。また、上向きに押された第２操作部材６２１５が押釦スイッチ６１２の押釦を押すことにより、押釦スイッチ６１２がオンする。さらに、突台部６２１０は、その下面における第１操作部材６２１４と第２操作部材６２１５の間に、２つの円形の窓６２１６、６２１７を有している。前方の窓６２１６は、上下方向において第２回路ブロック６１の受光素子６１４と対向している。後方の窓６２１７は、上下方向において第２回路ブロック６１の表示素子６１３と対向している。つまり、リモートコントローラから送信される制御信号は、前方の窓６２１６を通して受光素子６１４に到達する。また、表示素子６１３が発する光（緑色光）は、後方の窓６２１７を通して筐体６２の外に放射される。
【００４４】
また、第２筐体６２１は、右端に３つの開口部６２１１、６２１２、６２１３を有している。これら３つの開口部６２１１、６２１２、６２１３は、前後方向に沿って一列に並んでいる（図９参照）。前端の開口部６２１１は、第１回路ブロック６０の受け側コネクタ６４と対向している。後端の開口部６２１３は、入力端子台６０３が挿通される。中央の開口部６２１２は、出力コネクタ６０２と対向している（図８参照）。
【００４５】
放熱板６３は、非常用光源ユニット４が取り付けられる取付部６３０と、一対の脚部６３１と、一対の固定部６３２とを有している（図９参照）。取付部６３０は、おおよそ台形状に形成されている。一対の脚部６３１は、平坦な板状に形成されて取付部６３０の前端及び後端から上方へ突出している。一対の固定部６３２は、一対の脚部６３１の上端から前後方向に沿って互いに近付く向きに突出している。ただし、取付部６３０と一対の脚部６３１と一対の固定部６３２とは、アルミ又はアルミ合金製の板材によって一体に形成されることが好ましい。
【００４６】
放熱板６３は、図８に示すように、取付部６３０を第２筐体６２１の下面に対向させ、一対の脚部６３１を第２筐体６２１の前面及び後面に対向させ、一対の固定部６３２を第１筐体６２０の底部６２００の上面に引っ掛けるようにして筐体６２に取り付けられる。また、放熱板６３は、一対の脚部６３１に設けられている矩形の嵌合孔６３３のそれぞれに、第２筐体６２１の上面及び下面の上端から突出する突部６２１８を嵌合させることによって筐体６２に対して位置決めされている（図８及び図９参照）。
【００４７】
非常用光源ユニット４は、放熱板６３の取付部６３０に設けられているねじ孔６３００に対して、２本の取付ねじ４５でホルダ４１がねじ止めされることによって取付部６３０に取り付けられている（図６〜図９参照）。また、非常用光源ユニット４は、第２筐体６２１の中央の開口部６２１２から露出する出力コネクタ６０２にホルダ４１の端子板保持部４１０が差込接続されることにより、制御装置６の第１回路ブロック６０と電気的に接続される（図７参照）。さらに、ＬＥＤモジュール４０は、放熱シート４３を介して放熱板６３の取付部６３０と熱的に結合される（図７参照）。
【００４８】
制御装置６は、器具本体１０内の左端に収容される（図１１参照）。制御装置６は、放熱板６３の一対の固定部６３２が天板１１にねじ止めされることによって器具本体１０に固定されることが好ましい。ゆえに、ＬＥＤモジュール４０が発する熱は、放熱シート４３から放熱板６３に伝導され、さらに、放熱板６３から器具本体１０に伝導されて放熱される。
【００４９】
押さえ具８は、図６に示すように、主片８０、引掛片８１、側片８２、第１差込片８３、第２差込片８４及び第３差込片８５を有している。なお、主片８０、引掛片８１、側片８２、第１差込片８３、第２差込片８４及び第３差込片８５は、金属板によって一体に形成されることが好ましい。
【００５０】
主片８０は、下方から見てＬ字状に形成されている。主片８０は、雌ねじ部８００を有している。引掛片８１は、円弧状に湾曲した湾曲部８１０と、湾曲部８１０と主片８０を連結する連結部８１１と、湾曲部８１０の下端から突出する矩形の平坦部８１２とを有している（図４Ａ〜図４Ｃ及び図６参照）。引掛片８１は、連結部８１１によって主片８０の左端の下部と連結されている。なお、引掛片８１は、連結部８１１が厚み方向に撓むことにより、湾曲部８１０を左右方向に変位可能とするように構成されている。側片８２は、矩形に形成されている。側片８２は、主片８０の後端から下向き及び左向きに突出している。側片８２の下部は後方に向かって傾斜している。第１差込片８３及び第２差込片８４は、前後方向から見てＬ字状に形成されている（図４Ｂ及び図５Ｂ参照）。なお、第２差込片８４は、主片８０に切り起こし形成されることが好ましい。第３差込片８５は、前後方向から見てＬ字状に形成されている（図４Ｂ及び図５Ｂ参照）。第３差込片８５は、側片８２の左端の上端から上方へ突出している（図４Ｂ参照）。
【００５１】
押さえ具８は、天板１１を貫通する３つの孔に第１差込片８３、第２差込片８４及び第３差込片８５が一対一に対応して差し込まれ、第１差込片８３、第２差込片８４及び第３差込片８５のそれぞれが天板１１を挟むように構成されている。そして、押さえ具８は、天板１１に設けられるねじ挿通孔に挿通されたねじが主片８０の雌ねじ部８００にねじ込まれることによって天板１１の下面に取り付けられる（図１１参照）。
【００５２】
非常用電源ユニット５は、器具本体１０の天板１１に取り付けられた制御装置６と押さえ具８の間に配置される（図１１参照）。非常用電源ユニット５は、ケースボディ５２を天板１１に対向させた状態で器具本体１０内の制御装置６と押さえ具８の間の空間に収容される。非常用電源ユニット５の端子保持部５２７は、第２筐体６２１の前端の開口部６２１１を通して筐体６２内に挿入される。このとき、端子保持部５２７のガイド片５２７１が、第２筐体６２１の前面の右端に設けられているガイド溝６２１９に案内される（図６参照）。そして、非常用電源ユニット５の第１コンタクト５７が、制御装置６の第１コンタクト受け６４１と電気的に接続される。また、非常用電源ユニット５の第２コンタクト５８が、制御装置６の第２コンタクト受け６４２と電気的に接続される。さらに、非常用電源ユニット５は、ケース５１に設けられた突部５２４に、押さえ具８の引掛片８１の湾曲部８１０が引っ掛かることによって押さえ具８に支持される（図４Ａ及び図８参照）。ここで、引掛片８１は、平坦部８１２に加えられる力によって連結部８１１が撓むと、湾曲部８１０が右向きに変位して湾曲部８１０と突部５２４との引っ掛かりが解除される。そして、非常用電源ユニット５は、湾曲部８１０と突部５２４との引っ掛かりが解除された状態で下向きに引っ張られると、第１コンタクト５７及び第２コンタクト５８が第１コンタクト受け６４１及び第２コンタクト受け６４２から引き抜かれる。つまり、作業者は、非常用電源ユニット５の器具本体１０への収容作業とほぼ同時に非常用電源ユニット５と制御装置６との電気的な接続作業を完了させることができる。また、作業者は、非常用電源ユニット５の器具本体１０からの取り外し作業とほぼ同時に非常用電源ユニット５と制御装置６との電気的な接続解除作業を完了させることができる。
【００５３】
カバー７は、図３に示すように、第１カバー７１と第２カバー７２を備えている。第１カバー７１と第２カバー７２は、前後方向から見てＬ字状に形成されている長尺の連結体７３によって左右方向に並ぶように連結されている。なお、第１カバー７１、第２カバー７２及び連結体７３は、金属のような不燃性の材料によって一体に形成されることが好ましい。例えば、カバー７は、アルミダイカストで構成されることが好ましい。ただし、カバー７は、金属以外の不燃性の材料、例えば、セラミックスなどで構成されてもよい。
【００５４】
第１カバー７１は、上面が開口する箱形に形成されている。第１カバー７１の下面は、常用照明装置２の透光カバー２０と同様に、短手方向（前後方向）において両端から中央に向かってなだらかに下向きに突出する曲面形状に形成されている（図３及び図６参照）。第１カバー７１の下面に凹部７１０が形成されている。凹部７１０は、下方から見た形状が楕円形に形成されている（図４Ａ参照）。凹部７１０の中央（底）に孔７１１が貫通している。孔７１１は、レンズ４４のレンズ本体４４０が挿通可能な形状（楕円形状）に形成されている。凹部７１０は、その長軸方向（左右方向）の両端を、その短軸方向（前後方向）の両端よりも下方へ突出させるように形成されている（図４Ｂ参照）。
【００５５】
第１カバー７１は、その下面における左端に４つの貫通孔（第１貫通孔７１２、第２貫通孔７１３、第３貫通孔７１４、第４貫通孔７１５）を有している（図４Ａ及び図６参照）。第１貫通孔７１２、第２貫通孔７１３、第３貫通孔７１４及び第４貫通孔７１５は、前方から後方に向かって１列に並ぶように配置されている。
【００５６】
第１カバー７１は、その上面における左端に２つの引掛部７１６を有している（図５Ａ参照）。引掛部７１６は、前後方向から見てＬ字状に形成されている（図５Ｂ参照）。また、引掛部７１６は、その先端（左端）に近付くにつれて上方へ傾斜するように構成されている（図５Ｂ参照）。
【００５７】
第２カバー７２は、図６に示すように、平坦部７２０と、腕部７２１と、固定部７２２とを有している。平坦部７２０は、おおよそ矩形平板状に形成されている。平坦部７２０は、その左端において連結体７３と連結されている。腕部７２１は、おおよそ矩形平板状に形成されている。腕部７２１は、平坦部７２０の右端における前端から上方へ立ち上がるように構成されている。固定部７２２は、おおよそ矩形平板状に形成されている。固定部７２２は、腕部７２１の上端から右方へ突出するように構成されている。また、固定部７２２は、その前方寄りの右隅に円形のねじ挿通孔７２３を有している。
【００５８】
カバー７は、図４Ａ〜図４Ｃに示すように、第１カバー７１によって非常用光源ユニット４、制御装置６及び非常用電源ユニット５の一部（左端部）を下から覆い、第２カバー７２によって非常用電源ユニット５の残り全部を下から覆うように構成されている。非常用光源ユニット４のレンズ本体４４０は、第１カバー７１の孔７１１に挿通されてカバー７の外に露出する。第１操作部材６２１４は、第１カバー７１の第１貫通孔７１２と対向している（図４Ａ参照）。第１操作部材６２１４は、第１貫通孔７１２に挿通される治具によって押操作される。第２操作部材６２１５は、第１カバー７１の第４貫通孔７１５に挿通されている（図５Ｂ参照）。第２操作部材６２１５は、例えば、人の指によって押操作される。第１カバー７１の第２貫通孔７１３は、制御装置６の受光素子６１４と対向している（図４Ａ参照）。また、第１カバー７１の第３貫通孔７１４は、制御装置６の表示素子６１３と対向している（図４Ａ参照）。つまり、リモートコントローラから送信される制御信号は、第２貫通孔７１３を通して受光素子６１４に到達する。また、表示素子６１３が発する光（緑色光）は、第３貫通孔７１４を通してカバー７の外に放射される。
【００５９】
カバー７は、第１カバー７１の一対の引掛部７１６と、第２カバー７２の固定部７２２とで器具本体１０に固定される。一対の引掛部７１６は、器具本体１０の左側の第２側板１３の下端から右方に突出する突片１３０に引っ掛けられる（図１１参照）。固定部７２２は、器具本体１０の天板１１にねじ止めされる。固定部７２２をねじ止めするためのねじは、固定部７２２のねじ挿通孔７２３と、押さえ具８の主片８０に設けられたねじ挿通孔８０１とに挿通された後、器具本体１０の天板１１に設けられている雌ねじにねじ込まれる（図１１参照）。
【００６０】
ところで、蓄電池５０に用いられるニッケル水素電池は、常温付近で電池容量が最も大きく、高温のときの電池容量が減少するという放電特性を有している。蓄電池５０の放電特性が低下すると、非常用照明装置３の非常用照明の照度が低下したり、非常用照明の継続時間が短縮されてしまう可能性がある。したがって、蓄電池５０を有する非常用電源ユニット５は、可能な限り熱源（非常用光源ユニット４）から離れて配置されることが好ましい。
【００６１】
非常用電源ユニット５は、図２Ａ及び図２Ｂに示すように、所定方向（上下方向）から見て非常用光源ユニット４と重ならないように器具本体１０に収容されている。なお、所定方向は、常用照明装置２と非常用照明装置３が並ぶ方向（左右方向）に直交する方向であり、かつ、常用照明装置２及び非常用照明装置３が器具本体１０の外に突出する方向（上下方向）である。ゆえに、非常用電源ユニット５は、特許文献１記載の従来例と比較して、熱源である非常用光源ユニット４から離れて配置されている。その結果、照明器具１は、非常用電源ユニット５が非常用光源ユニット４から受ける熱の影響を低減することにより、非常用電源ユニット５の放電特性の低下の抑制を図ることができる。
【００６２】
また、照明器具１は、図２Ａ及び図２Ｂに示すように、長尺の箱形に形成される器具本体１０に対して、常用照明装置２及び非常用照明装置３を器具本体１０の長手方向（左右方向）に沿って並ぶように収容している。そのため、照明器具１は、常用照明装置２及び非常用照明装置３を器具本体１０の短手方向に沿って並ぶように収容する場合と比較して、器具本体１０の短手方向の幅寸法を小さくすることができる。
【００６３】
さらに、照明器具１は、器具本体１０の長手方向（左右方向）において、非常用光源ユニット４に対して常用照明装置２に近い側（右側）に非常用電源ユニット５を収容するように構成されている。言い換えると、照明器具１は、器具本体１０の長手方向において、非常用光源ユニット４と常用照明装置２との間に非常用電源ユニット５を収容するように構成されている。そのため、照明器具１は、非常用光源ユニット４に対して常用照明装置２から遠い側（左側）に非常用電源ユニット５を収容する場合と比較して、器具本体１０の長手方向において器具本体１０の小型化を図ることができる。言い換えると、照明器具１は、器具本体１０の長手方向において、常用照明装置２と非常用電源ユニット５との間に非常用光源ユニット４を収容する場合と比較して、器具本体１０の長手方向において器具本体１０の小型化を図ることができる。
【００６４】
また、制御装置６は、上下方向から見て非常用光源ユニット４と重なるように器具本体１０に収容されている（図２Ａ及び図２Ｂ参照）。そのため、照明器具１は、制御装置６が非常用光源ユニット４と左右方向に並べて器具本体１０に収容される場合と比較して、左右方向における非常用照明装置３の小型化を図ることができる。さらに、非常用電源ユニット５は、第２カバー７２に覆われる部分を、器具本体１０の天板１１と常用照明装置２の取付部材２１との間に生じるデッドスペースに収容するように構成されている。そのため、照明器具１は、左右方向における非常用照明装置３の更なる小型化を図ることができる。
【００６５】
上述のように照明器具１は、常用照明を行う常用照明装置２と、非常用照明を行う非常用照明装置３と、常用照明装置２及び非常用照明装置３を収容する器具本体１０とを備えている。非常用照明装置３は、非常用光源ユニット４と、少なくとも１つの蓄電池５０を有する非常用電源ユニット５と、蓄電池５０を充電し、かつ、蓄電池５０から放電される電力で非常用光源ユニット４を点灯する制御装置６とを有している。器具本体１０は、常用照明装置２の隣に非常用照明装置３を並べて収容している。非常用電源ユニット５は、所定方向から見て非常用光源ユニット４と重ならないように器具本体１０に収容されている。所定方向は、常用照明装置２と非常用照明装置３が並ぶ方向（左右方向）に直交する方向であり、かつ、常用照明装置２及び非常用照明装置３が器具本体１０の外に突出する方向（上下方向）である。
【００６６】
照明器具１が上述のように構成されれば、特許文献１記載の従来例と比較して、熱源である非常用光源ユニット４から離れた位置に非常用電源ユニット５を配置し、非常用電源ユニット５が非常用光源ユニット４から受ける熱の影響を低減することができる。その結果、照明器具１は、非常用電源ユニット５の放電特性の低下の抑制を図ることができる。
【００６７】
また、照明器具１において、器具本体１０は、長尺の箱形に形成されることが好ましい。常用照明装置２及び非常用照明装置３は、器具本体１０の長手方向（左右方向）に沿って並ぶように器具本体１０に収容されていることが好ましい。
【００６８】
照明器具１が上述のように構成されれば、常用照明装置２及び非常用照明装置３を器具本体１０の短手方向に沿って並ぶように収容する場合と比較して、器具本体１０の短手方向の幅寸法を小さくすることができる。
【００６９】
さらに、照明器具１において、非常用電源ユニット５は、器具本体１０の長手方向（左右方向）において、非常用光源ユニット４に対して常用照明装置２に近い側（右側）に収容されていることが好ましい。
【００７０】
照明器具１が上述のように構成されれば、非常用光源ユニット４に対して常用照明装置２から遠い側（左側）に非常用電源ユニット５を収容する場合と比較して、器具本体１０の長手方向において器具本体１０の小型化を図ることができる。
【００７１】
照明器具１において、制御装置６は、所定方向（上下方向）から見て非常用光源ユニット４と重なるように器具本体１０に収容されていることが好ましい。
【００７２】
照明器具１が上述のように構成されれば、制御装置６が非常用光源ユニット４と左右方向に並べて器具本体１０に収容される場合と比較して、左右方向における非常用照明装置３の小型化を図ることができる。
【００７３】
照明器具１において、非常用電源ユニット５は、板状の第１導体５４と、板状の第２導体５５と、蓄電池５０と第１導体５４と第２導体５５を支持する支持体（ケース５１）とを有していることが好ましい。制御装置６は、第１導体５４の端部に設けられている第１コンタクト５７と抜き差し可能に電気的かつ機械的に接続される第１コンタクト受け６４１を有していることが好ましい。さらに、制御装置６は、第２導体５５の端部に設けられている第２コンタクト５８と抜き差し可能に電気的かつ機械的に接続される第２コンタクト受け６４２を有していることが好ましい。そして、非常用電源ユニット５は、第１コンタクト受け６４１及び第２コンタクト受け６４２を通して制御装置６に電力を供給することが好ましい。
【００７４】
照明器具１が上述のように構成されれば、作業者は、非常用電源ユニット５の器具本体１０への収容作業とほぼ同時に非常用電源ユニット５と制御装置６との電気的な接続作業を完了させることができる。また、作業者は、非常用電源ユニット５の器具本体１０からの取り外し作業とほぼ同時に非常用電源ユニット５と制御装置６との電気的な接続解除作業を完了させることができる。その結果、照明器具１は、非常用電源ユニット５の交換作業における作業時間の短縮を図ることができる。
【符号の説明】
【００７５】
１  照明器具
２  常用照明装置
３  非常用照明装置
４  非常用光源ユニット
５  非常用電源ユニット
６  制御装置
１０  器具本体
５０  蓄電池
５１  ケース（支持体）
５４  第１導体
５５  第２導体
５７  第１コンタクト
５８  第２コンタクト
６４１  第１コンタクト受け
６４２  第２コンタクト受け
【図１】
2018110058.tif 000003
【図２】
2018110058.tif 000004
【図３】
2018110058.tif 000005
【図４】
2018110058.tif 000006
【図５】
2018110058.tif 000007
【図６】
2018110058.tif 000008
【図７】
2018110058.tif 000009
【図８】
2018110058.tif 000010
【図９】
2018110058.tif 000011
【図１０】
2018110058.tif 000012
【図１１】
2018110058.tif 000013